【手続補正書】
【提出日】平成19年12月3日(2007.12.3)
【手続補正１】
【補正対象書類名】明細書
【補正対象項目名】発明の名称
【補正方法】変更
【補正の内容】
【発明の名称】樹脂注型方法および樹脂成形品
【手続補正２】
【補正対象書類名】明細書
【補正対象項目名】特許請求の範囲
【補正方法】変更
【補正の内容】
【特許請求の範囲】  
【請求項１】  注型用の型に形成される凹型形状中に、液状の樹脂材料を流し込んで硬化させる樹脂注型方法において、
樹脂材料を流し込む前に、シートを注型用の型の該凹型形状内面に密着するように貼付け、
シートが内面に密着した該内面形状に、樹脂材料を流し込み、
樹脂材料が硬化した後で、樹脂材料をシートとともに該注型用の型から取出し、
該シートを硬化した樹脂材料から剥離し、
前記シートの貼付は、前記凹型形状が形成される注型用の型と、該凹型形状に対し凹凸が反転して形成される凸型形状の押付け型とで、挟んで行うことを特徴とする樹脂注型方法。
【請求項２】  前記シートの貼付は、前記凹型形状が形成される注型用の型と、弾力性を有する型との間で、挟んで行うことを特徴とする請求項１記載の樹脂注型方法。
【請求項３】  前記シートに弾力性がある材料を使用し、
該シートを前記注型用の型の凹型形状内面に密着させるように変形させた直後に、前記樹脂材料の流し込みを行い、
樹脂材料が硬化した後で、樹脂材料をシートとともに該型から取出すことを特徴とする請求項１または２記載の樹脂注型方法。
【請求項４】  前記シートを、予め前記凹型形状内面に密着する形状に成形しておいてから、該凹型形状内面に密着させることを特徴とする請求項１記載の樹脂注型方法。
【請求項５】  前記注型用の型は複数を組合わせて使用し、
各型の凹型形状内面に密着させるシートの大きさを異ならせておくことを特徴とする請求項１〜４のいずれかに記載の樹脂注型方法。
【請求項６】  注型用の樹脂型を取付け枠に固定し、該樹脂型内の凹面形状に、樹脂材料を流し込んで硬化させる樹脂注型方法において、
該型取付け枠を、該樹脂型の材料以上の線膨張率を有する材料で形成することを特徴とする樹脂注型方法。
【請求項７】  前記注型用の樹脂型は、前記樹脂材料を流し込むときの温度および圧力の条件下で、所定の形状となるように、予め形成該形状とは異なる形状に形成されていることを特徴とする請求項６記載の樹脂注型方法。
【請求項８】  前記取付け枠は、前記樹脂型の合わせ面に平行な方向について、中間部が太鼓状に膨らみ、両端部で膨らみが減少した状態で、前記樹脂型の両端部を固定し、中間部を膨らみが減少するように押えると、該方向に樹脂型を引張することを特徴とする請求項６記載の樹脂注型方法。
【請求項９】  前記樹脂型に対して、変形を矯正する矯正型を予め用意しておき、
該樹脂型が変形した場合には、該矯正型を用いて矯正することを特徴とする請求項６〜８のいずれかに記載の樹脂注型方法。
【請求項１０】  前記樹脂型に、透孔を設けておき、
樹脂材料を流し込んで硬化させた後で、該透孔から冷却用流体を導入し、内部の硬化物の温度が低下して収縮してから、該硬化物を離型させることを特徴とする請求項６〜８のいずれかに記載の樹脂注型方法。
【請求項１１】  前記透孔に、先端付近から横方向に前記冷却用流体を噴出可能なノズルを挿入して、前記硬化物と該樹脂型表面との間に該冷却用流体を噴出させて、該硬化物を離型させることを特徴とする請求項１０記載の樹脂注型方法。
【請求項１２】  前記樹脂型に前記樹脂材料を流し込む注型時には、前記透孔を封止しておくことを特徴とする請求項１０または１１記載の樹脂注型方法。
【請求項１３】請求項１〜１２のいずれかに記載の樹脂注型方法によって成形されることを特徴とする樹脂成形品。
【手続補正３】
【補正対象書類名】明細書
【補正対象項目名】０００１
【補正方法】変更
【補正の内容】
【０００１】
【発明の属する技術分野】
本発明は、電子回路基板等を気密封止するためなどに用いる樹脂注型方法および樹脂成形品に関する。
【手続補正４】
【補正対象書類名】明細書
【補正対象項目名】０００８
【補正方法】変更
【補正の内容】
【０００８】
特開平１０−２４４５５６号公報に開示されている先行技術では、半導体素子自体は、樹脂パッケージに形成される凹部に収納され、直接樹脂中に気密封止されないで、凹部が蓋体で気密封止される。また、［００１２］段落に記載されているように、上型１ａと下型１ｂの各表層部分を多孔質材料で構成しておいて、真空引を行って上下一対の離型フィルム２ａ，２ｂをそれぞれ上型１ａと下型１ｂの表面に密着させているので、図１４の（３）に示すように全体を真空槽５内で減圧すると、離型フィルム２ａ，２ｂの真空吸着力が減殺され、密着が困難になってしまう。特開平８−２７９３０７号公報の先行技術での基体シートは、導光板の表面に転写される光拡散透過層や側面反射層を保持しておくために使用され、成形される導光板と金型との離型を直接目的としてはいない。
本発明の目的は、離型が容易な樹脂注型方法および樹脂成形品を提供することである。
【手続補正５】
【補正対象書類名】明細書
【補正対象項目名】０００９
【補正方法】変更
【補正の内容】
【０００９】
【課題を解決するための手段】
本発明は、注型用の型に形成される凹型形状中に、液状の樹脂材料を流し込んで硬化させる樹脂注型方法において、
樹脂材料を流し込む前に、シートを注型用の型の該凹型形状内面に密着するように貼付け、
シートが内面に密着した該内面形状に、樹脂材料を流し込み、
樹脂材料が硬化した後で、樹脂材料をシートとともに該注型用の型から取出し、
該シートを硬化した樹脂材料から剥離し、
前記シートの貼付は、前記凹型形状が形成される注型用の型と、該凹型形状に対し凹凸が反転して形成される凸型形状の押付け型とで、挟んで行うことを特徴とする樹脂注型方法である。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、シートを注型用の型の凹型形状に対して凹凸が反転している凸型形状の押付け型と、注型用の型とで挟んで貼付けるので、注型用の型の凹型形状の内面に確実に密着させて貼付けることができる。型にシートを密着させることができるので、寸法安定性を良好にすることができる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００３８
【補正方法】変更
【補正の内容】
【００３８】
本発明に従えば、冷却用流体導入用の透孔を封止して樹脂材料を樹脂型に流し込むので、樹脂材料が透孔からもれないようにすることができる。
また本発明は、前記樹脂注型方法によって成形されることを特徴とする樹脂成形品である。
【手続補正１３】
【補正対象書類名】明細書
【補正対象項目名】００６１
【補正方法】変更
【補正の内容】
【００６１】
また、シートを注型用の型に密着させることができるので、寸法安定性を良好にすることができる。
【手続補正１４】
【補正対象書類名】明細書
【補正対象項目名】００６２
【補正方法】削除
【補正の内容】
【手続補正１５】
【補正対象書類名】明細書
【補正対象項目名】００６６
【補正方法】削除
【補正の内容】